(57)【要約】【課題】外観の見映えを損なう等の問題を解決しつつレンズ内に侵入する不要な光を遮断することができるカメラを提供する。【解決手段】撮影レンズの前面に設けられ、非撮影時は光を不透過状態とするネガＬＣＤ１５と、少なくとも露光動作時にネガＬＣＤ１５が光透過状態となるようにネガＬＣＤ１５を駆動制御する制御手段（ＣＰＵ３４、ＬＣＤ制御手段３２）とを具備する。【選択図】　　図１
2004085594.tif 000002
【特許請求の範囲】
【請求項１】
撮影レンズの前面に設けられ、非撮影時は光を不透過状態とするネガＬＣＤと、
少なくとも露光動作時に上記ネガＬＣＤが光透過状態となるように上記ネガＬＣＤを駆動制御する制御手段と、
を具備することを特徴とするカメラ。
【請求項２】
撮影レンズの前面に設けられ、非撮影時は光を不透過状態とするネガＬＣＤと、
合焦動作時と露光動作時に上記ネガＬＣＤが光透過状態となるように上記ネガＬＣＤを駆動制御する制御手段と、
を具備することを特徴とするカメラ。
【請求項３】
上記ネガＬＣＤは、上記撮影レンズがレンズ光軸方向に移動するときに共に移動することを特徴とする請求項１または２記載のカメラ。
【発明の詳細な説明】
【０００１】
【発明の属する技術分野】
本発明はカメラに関し、特に、撮影レンズの前面にネガＬＣＤを備えたカメラに関する。
【０００２】
【従来の技術】
カメラにおいては、内部に各種の構成部材等を備えて構成されたカメラ本体部に対して、複数のレンズやその駆動機構等からなる撮影光学系を内部に保持するレンズ鏡筒を着脱自在に装着可能なものがある。
【０００３】
そして、レンズ鏡筒の前面には、レンズ面を保護し、さらには、レンズ固定枠とレンズの隙間からカメラ内に侵入する不要な光を遮断するための部材、例えばレンズキャップ等が装着可能である。
【０００４】
【発明が解決しようとする課題】
しかしながら、上記したようなレンズキャップをカメラに取り付けることは、外観の見映えを損なうことになる。また、レンズキャップは、カメラとは別部品であるためにいったん取り外すと携帯性が悪く保管するのが煩わしいという問題があった。また、紛失してしまうという問題もあった。
【０００５】
本発明は、このような課題に着目してなされたものであり、その目的とするところは、外観の見映えを損なう等の問題を解決しつつレンズ内に侵入する不要な光を遮断することができるカメラを提供することにある。
【０００６】
【課題を解決するための手段】
上記の目的を達成するために、第１の発明に係るカメラは、撮影レンズの前面に設けられ、非撮影時は光を不透過状態とするネガＬＣＤと、少なくとも露光動作時に上記ネガＬＣＤが光透過状態となるように上記ネガＬＣＤを駆動制御する制御手段とを具備する。
【０００７】
また、第２の発明に係るカメラは、撮影レンズの前面に設けられ、非撮影時は光を不透過状態とするネガＬＣＤと、合焦動作時と露光動作時に上記ネガＬＣＤが光透過状態となるように上記ネガＬＣＤを駆動制御する制御手段とを具備する。
【０００８】
また、第３の発明に係るカメラは、第１または第２の発明に係るカメラにおいて、上記ネガＬＣＤは、上記撮影レンズがレンズ光軸方向に移動するときに共に移動する。
【０００９】
【発明の実施の形態】
（第１実施形態）
以下、図面を参照して本発明の第１実施形態を詳細に説明する。図１（ａ）、図１（ｂ）は、本発明の第１実施形態が適用されるコンパクトカメラの外観斜視図である。図１（ａ）、（ｂ）に示すように、カメラ本体１の前面中央部にはレンズ鏡筒１６が設けられ、その上部には、測距部１９、ファインダ窓２０、測光部９が設けられている。レンズ鏡筒１６の内部には移動枠１４が設けられている。
【００１０】
ここで、移動枠１４は、撮影レンズを含む撮影光学系を保持しており、撮影時に自身が移動することにより撮影光学系をレンズ光軸方向に移動させることが可能である。また、移動枠１４の先端部にはネガＬＣＤ１５が設けられている。このネガＬＣＤ１５は、合焦時やフィルム若しくは撮像素子への露光時において被写体からの光を透過状態にする光透過モードと、それ以外の時には被写体からの光を不透過状態にする光不透過モードとを有する。
【００１１】
さらに、カメラ本体１の前面右上部にはストロボ窓ＬＣＤ１８を備えるストロボ発光部１７が設けられている。前記ストロボ窓ＬＣＤ１８は、撮影時においてストロボ発光光を透過状態にする光透過モードと、それ以外の時にはストロボ発光光を不透過状態にする光不透過モードとを有する。
【００１２】
また、カメラ本体１の上面にはレリーズ釦１０、パワーＳＷ釦１２、ＬＣＤ表示窓１３等が設けられ、カメラ本体１の後面右上部にはズーム釦１１が設けられている。
【００１３】
図１（ａ）は、カメラの非撮影状態を示しており、撮影光学系を保持する移動枠１４はレンズ鏡筒１６内に収納され、ネガＬＣＤ１５は被写体からの光を不透過状態にする光不透過モードになっている。また、ストロボ窓ＬＣＤ１８は、ストロボ発光光を不透過状態にする光不透過モードになっている。
【００１４】
一方、図１（ｂ）は、カメラの撮影可能状態を示しており、撮影光学系を保持する移動枠１４は、レンズ鏡筒１６から被写体方向に繰り出され、ネガＬＣＤ１５は被写体からの光を透過状態にする光透過モードになっている。また、ストロボ窓ＬＣＤ１８は、ストロボ発光光を透過状態にする光透過モードになっている。
【００１５】
図２は、図１（ａ）のレンズ鏡筒１６部分におけるＡ−Ａ断面図である。レンズ鏡筒１６内には、撮影レンズ２２を支持する移動枠１４がレンズ光軸方向に移動可能に配置されている。レンズ鏡筒１６と移動枠１４との間には防塵あるいは遮光用のシール部材２１が設けられている。
【００１６】
移動枠１４の内部において、撮影レンズ２２の前面には一対のガラス２４，２５間に封入されたネガＬＣＤ１５が配置されている。また、移動枠１４の内壁に沿ってフレキシブルプリント電気基板２３が配置されている。フレキシブルプリント電気基板２３は、前記ネガＬＣＤ１５に電気的に接続されるとともに、カメラ本体側の電気基板と電気的接続がなされている。
【００１７】
図２に示すように、ネガＬＣＤ１５と、撮影レンズ２２とは同一の移動枠１４に固定されているので、ネガＬＣＤ１５は、撮影レンズ２２がレンズ光軸方向に移動するときに共に移動可能となっている。
【００１８】
図３は、第１実施形態に係るコンパクトカメラの基本的構成を説明するためのブロック図である。カメラ全体の制御を行なうべくマイクロコンピュータ等により構成されるＣＰＵ３４には、測距部１９、測光部９、露光手段３３、合焦手段３０が接続されている。測距部１９は合焦のために被写体までの距離を測定する部分である。測光部９は被写体の輝度を測定する部分である。露光手段３３は測光部９で測定された被写体輝度に基づいて、図示しないフィルム若しくはＣＣＤに被写体像の露光を行なう。合焦手段３０は、測距部１９で得られた被写体までの距離に基づいてレンズ合焦動作を行う。
【００１９】
さらに、ＣＰＵ３４には、鏡筒制御手段３１を介してレンズ鏡筒１６が、ＬＣＤ制御手段３２を介してネガＬＣＤ１５が接続されている。また、ＣＰＵ３４には、操作スイッチとして、パワーＳＷ３５、レリーズＳＷ３６、ズームＳＷ３７が接続されている。
【００２０】
パワーＳＷ３５は、カメラの主電源をＯＮ、ＯＦＦするためのスイッチである。レリーズＳＷ３６は、カメラの撮影動作を開始する旨の指示を与えるスイッチであり、ファースト（１Ｒ）レリーズＳＷとセカンド（２Ｒ）レリーズＳＷとからなる。レリーズ釦１０が半押しされると１ＲレリーズＳＷがＯＮし、全押しされると２ＲレリーズＳＷがＯＮし、これがＣＰＵ３４に伝えられて撮影動作が行われる。また、ズーム釦１１の操作によりズームＳＷ３７がＯＮすると、これがＣＰＵ３４に伝えられ、移動枠１４を鏡筒制御手段３１を介してワイド方向あるいはテレ方向に移動させるズーム駆動が行われる。
【００２１】
ネガＬＣＤ１５の光透過モードと光不透過モードとは、ＣＰＵ３４からの指示に従ってＬＣＤ制御手段３２を介して所定の電圧を印加することにより制御される。すなわち、ネガＬＣＤ１５は、所定の電圧が印加されたときには光透過モードに設定され、所定の電圧が印加されないときには光不透過モードに設定される。
【００２２】
図４は、第１実施形態に係るコンパクトカメラの動作を説明するためのフローチャートである。図示されない電池がカメラ本体１内の電池室に投入されると（ステップＳ１）、まず、ＣＰＵ３４内の図示しないＲＡＭやフラグ類の初期化を含むカメラのイニシャライズが行なわれる（ステップＳ２）。次にＣＰＵ３４は、パワーＳＷ３５がＯＮかどうかを判断し（ステップＳ３）、ＮＯの場合にはＹＥＳになるまで待機し、ＹＥＳになったときには１Ｒ　ＳＷがＯＮになっているかどうかを判断する（ステップＳ４）。ここでＮＯの場合には、ズーム釦１１が操作されることによりズームＳＷ３７がＯＮになっているかどうかを判断し（ステップＳ１６）、ＹＥＳの場合にはカメラの移動枠１４をレンズ光軸方向に移動させるズーム駆動を行ない（ステップＳ１５）、その後、ステップＳ４に戻る。また、ステップＳ１６の判断がＮＯの場合には、直ちにステップＳ４に戻る。
【００２３】
一方、ステップＳ４の判断がＹＥＳの場合には、被写体の輝度を測定する測光動作（ステップＳ５）、レンズ合焦動作のために被写体までの距離を測定する測距動作（ステップＳ６）、絞り値（ＦＮＯ）、測光値、ＩＳＯ感度を用いて露出秒時を計算するＡＥ演算（ステップＳ７）を順に行ない、その後、２Ｒ　ＳＷがＯＮになっているかどうかを判断する（ステップＳ８）。
【００２４】
ステップＳ８の判断がＮＯの場合には２Ｒ　ＳＷがＯＮになるまで待機し、ＯＮになったときにレンズ合焦動作を行なう（ステップＳ９）。
【００２５】
次に、ネガＬＣＤ１５に所定の電圧を印加してＯＮ（光透過）状態にし（ステップＳ１０）、その後、撮影動作としての露光動作を行なう（ステップＳ１１）。露光動作が終了したら、ネガＬＣＤ１５への電圧印加を停止してＯＦＦ（光不透過）状態にし（ステップＳ１２）、その後、レンズリセット動作（ステップＳ１３）、フィルムの巻き上げ動作（ステップＳ１４）を行ない、ステップＳ４に戻る。
【００２６】
上記したように、第１実施形態によれば、露光動作時には、撮影レンズ２２の前面に設けられたネガＬＣＤ１５は、制御手段（ＣＰＵ３４、ＬＣＤ制御手段３２）によって、ＯＮ（光透過）状態になるように駆動制御されるので、被写体からの光は撮影レンズ２２を介してカメラ内に取り込まれて露光が行なわれるが、露光動作以外のときにはＯＦＦ（光不透過）状態となるように駆動制御されるので、露光動作時でないときにレンズ内に侵入しようとする不要な光は遮断される。このようにして外観の見映えを損なう等の問題を解決しつつレンズ内に侵入する不要な光を遮断することができ、フィルムやＣＣＤに対し、光漏れや余計な光を与えることがない。
【００２７】
また、ネガＬＣＤ１５はシャッタレリーズ時において光透過状態に変化するので、被写体側からのシャッタ動作の確認が可能になる。
【００２８】
（第２実施形態）
本発明は一眼レフタイプのカメラにも適用可能であり、以下に、図５を参照して第２実施形態の動作を説明する。電池がカメラ本体内の電池室に投入されると（ステップＳ２１）、まず、ＣＰＵ３４内の図示しないＲＡＭやフラグ類の初期化を含むカメラのイニシャライズが行なわれる（ステップＳ２２）。次にＣＰＵ３４は、パワーＳＷ３５がＯＮかどうかを判断し（ステップＳ２３）、ＮＯの場合にはネガＬＣＤ１５に電圧を印加しないことによりＯＦＦ（光不透過）状態にし（ステップＳ２５）、その後、ステップＳ２３に戻る。また、ステップＳ２３の判断がＹＥＳの場合にはネガＬＣＤ１５に所定の電圧を印加してＯＮ（光透過）状態にし（ステップＳ２４）、その後、レリーズＳＷ３６の１Ｒ　ＳＷがＯＮになっているかどうかを判断する（ステップＳ２６）。ここでＮＯの場合には、ズーム釦１１が操作されることによりズームＳＷ３７がＯＮになっているかどうかを判断し（ステップＳ３６）、ＹＥＳの場合にはズーム駆動を行ない（ステップＳ３５）、その後、ステップＳ２６に戻る。また、ステップＳ３６の判断がＮＯの場合には、直ちにステップ２６に戻る。
【００２９】
一方、ステップＳ２６の判断がＹＥＳの場合には、測光動作（ステップＳ２７）、レンズ合焦動作のための測距動作（ステップＳ２８）、ＡＥ演算（ステップＳ２９）を順に行ない、レンズ合焦動作を行なう（ステップＳ３０）。その後、２Ｒ　ＳＷがＯＮになっているかどうかを判断する（ステップＳ３１）。ここでＮＯの場合には２Ｒ　ＳＷがＯＮになるまで待機する。そして、２Ｒ　ＳＷがＯＮになったとき、カメラの撮影動作としての露光動作を行ない（ステップＳ３２）、その後、レンズリセット動作（ステップＳ３３）、フィルムの巻き上げ動作（ステップＳ３４）を行った後、ステップＳ２６に戻る。
【００３０】
上記したように、第２実施形態によれば、パワーＳＷ３５がＯＮになっているとき（特に合焦動作時及び露光動作時）には、撮影レンズ２２の前面に設けられたネガＬＣＤ１５は、制御手段（ＣＰＵ３４、ＬＣＤ制御手段３２）によって、光透過状態になるように駆動制御されるので、被写体からの光はカメラ内に取り込まれて合焦動作を可能とするが、撮影可能状態以外のときには光不透過状態となるように駆動制御されるので、撮影可能状態でないときにレンズ内に侵入しようとする不要な光は遮断される。このようにして外観の見映えを損なう等の問題を解決しつつレンズ内に侵入する不要な光を遮断することができるので、フィルム若しくはＣＣＤに光漏れや余計な光を与えることがない。
【００３１】
また、ネガＬＣＤ１５はシャッタレリーズ時において光透過状態に変化するので、被写体側からのシャッタ動作の確認が可能になる。
【００３２】
【発明の効果】
本発明によれば、外観の見映えを損なう等の問題を解決しつつレンズ内に侵入する不要な光を遮断することができるようになる。
【図面の簡単な説明】
【図１】本発明の第１実施形態が適用されるコンパクトカメラの外観斜視図である。
【図２】図１（Ａ）のレンズ鏡筒１６部分におけるＡ−Ａ断面図である。
【図３】第１実施形態に係るコンパクトカメラの基本的構成を説明するためのブロック図である。
【図４】第１実施形態に係るコンパクトカメラの動作を説明するためのフローチャートである。
【図５】本発明の第２実施形態が適用される一眼レフタイプのカメラの動作を説明するためのフローチャートである。
【符号の説明】
９　測光部
１０　レリーズ釦
１１　ズーム釦
１２　パワーＳＷ釦
１３　ＬＣＤ表示窓
１４　移動枠
１５　ネガＬＣＤ
１６　レンズ鏡筒
１７　ストロボ発光部
１８　ストロボ窓ＬＣＤ
１９　測距部
２０　ファインダ窓
２１　シール部材
２２　撮影レンズ
２３　フレキシブルプリント電気基板
２４　ガラス
２５　ガラス
３０　合焦手段
３１　鏡筒制御手段
３２　ＬＣＤ制御手段
３３　露光手段
３４　ＣＰＵ
３５　パワーＳＷ
３６　レリーズＳＷ
３７　ズームＳＷ
【図１】
2004085594.tif 000003
【図２】
2004085594.tif 000004
【図３】
2004085594.tif 000005
【図４】
2004085594.tif 000006
【図５】
2004085594.tif 000007